(57)【要約】【課題】回動方式でロック装置のロックとロック解除を行うことができ、使用上より便利であるコンピュータ用ロック装置を提供すること。【解決手段】本発明のコンピュータ用ロック装置は、ボディユニット、ロックユニット、シリンダユニット及びセキュリティケーブルユニットを含む。前記ボディユニットはボディケースと、前記ボディケース外周面上に設置されたリングを備えている。前記ロックユニットは、前記座部の貫通孔に設置され、且つ交差して揺動可能な２つの鉤部材と、前記２つの鉤部材を閉じ合わせるように常時付勢する２つの弾性部材を備え、前記シリンダユニットは前記ボディユニットのボディケース内に固定されたロックボディと、前記ロックボディに相対し、ロック位置とロック解除位置の間で回動可能なロック棒を備え、前記ロック棒の端部は前記ロックボディから突出し、その断面に長軸と短軸が定義される。【選択図】図４
2008045394.tif 000002
【特許請求の範囲】
【請求項１】
コンピュータ用ロック装置であって、
ボディケースと、前記ボディケース外周面上に設置されたリングを備え、前記ボディケースが貫通孔を設けた座部と、前記座部外周縁から外側に向かって延伸された周壁を備えているボディユニットと、
前記座部の貫通孔内に交差して揺動可能に設置された２つの鉤部材と、前記２つの鉤部材を相互に向かって閉じ合わせるように常時付勢する２つの弾性部材を備え、各鉤部材が前記ボディケース内に位置し、且つ対応する前記弾性部材に当接される押当部と、前記押当部の反対側に位置し、且つ前記ボディケースから穿出されるフック部を備えているロックユニットと、
前記ボディユニットのボディケース内に固定され、且つ、ロックボディと、前記ロックボディに相対してロック位置とロック解除位置間で回動することができるロック棒を備え、前記ロック棒の端部が前記ロックボディから突出されて前記２つの鉤部材の押当部間に配置され、且つ長軸と短軸が定義されたシリンダユニットと、
端部が前記ボディユニットのリングに枢着されたケーブル連結部と、前記ケーブル連結部に接続されたケーブルを備えているセキュリティケーブルユニットと、
を備え、
前記ロック解除位置にあるとき、前記シリンダユニットのロック棒の端部がその短軸の方向を向いて前記２つの鉤部材の押当部の間に位置し、前記２つの弾性部材の弾力により、前記２つの鉤部材のフック部が相互に向かって閉じ合わされ、前記ロック棒が前記ロック位置まで回動されると、前記ロック棒の端部がその長軸の方向に向けられ、同時に前記２つの鉤部材の押当部を外側に向かって押し動かし、前記２つのフック部を背離させて開かせることを特徴とする、
コンピュータ用ロック装置。
【請求項２】
前記ボディユニットのボディケースの座部周面上に少なくとも１つの環状槽が形成され、前記ボディユニットが、前記環状槽内に設置されて前記リングの位置を規制する規制リングをさらに備えていることを特徴とする、請求項１に記載のコンピュータ用ロック装置。
【請求項３】
前記ボディユニットが、前記ボディケースの座部の底部に嵌置され、前記リングが前記ボディケースから抜け落ちるのを防ぐための底部座体をさらに備え、前記底部座体上に前記座部上の貫通孔に対応し、前記２つの鉤部材を穿通させるための通孔が形成されたことを特徴とする、請求項２に記載のコンピュータ用ロック装置。
【請求項４】
前記ボディユニットのボディケースの周壁上に前記２つの鉤部材の押当部にそれぞれ対応する２つの収容孔が形成され、前記ロックユニットが、前記２つの収容孔にそれぞれ収容され、且つ、前記２つの弾性部材を穿置するために用いられる位置決めカップをさらに備えていることを特徴とする、請求項３に記載のコンピュータ用ロック装置。
【請求項５】
前記ボディユニットのリングが、前記周壁を覆って設置されたリング体と、前記リング体から外側に向かって間隔をあけて延伸された２つの張り出し部を備え、前記セキュリティケーブルユニットのケーブル連結部が前記２つの張り出し部の間に配置され、枢着されることを特徴とする、請求項４に記載のコンピュータ用ロック装置。
【請求項６】
前記シリンダユニットのロック棒の端部断面が略矩形を呈することを特徴とする、請求項１または５に記載のコンピュータ用ロック装置。
【請求項７】
前記シリンダユニットのロック棒の端部断面が略楕円形を呈することを特徴とする、請求項１または５に記載のコンピュータ用ロック装置。
【発明の詳細な説明】
【技術分野】
【０００１】
本発明はロック装置に関し、特に、コンピュータ用のロック装置（ノートブック型コンピュータ用ロックシリンダを備えた挟持装置）に関する。
【背景技術】
【０００２】
近年来、多くのコンピュータメーカーは各国で開催されるコンピュータ商品展示会に参加し、自社で研究開発した商品を展示することで、国際的に販売経路を確立しようとしている。しかし、ノートブック型コンピュータやコンピュータ本体、液晶モニタ、スキャナ、プリンタ等、コンピュータやその周辺ハードウェアは比較的高価格の商品に属し、商品が展示場内で盗まれないようにするため、メーカーはよくコンピュータ専用のロック装置でこれら商品を固定している。
【０００３】
図１、図２に示すように、従来のコンピュータ用ロック装置１は、出願人が以前に自ら開発した商品で、ノートブック型コンピュータ２のロックスロット２０上に連結することができるものであり、前記ロック装置１はシリンダ１１、前記シリンダ１１中に固定されたヘッド部１２、前記シリンダ１１底部に設置され、前記ロックスロット２０に連結するために用いるロックユニット１３、前記シリンダ１１外側に被せて設置されたリング１４、規制リング１５、前記シリンダ１１底部に設置された環状座部１６、及び前記リング１４に枢着されたケーブル１７を含む。
【０００４】
図２、図３に示すように、前記シリンダ１１は座部１１１及び前記座部１１１外周縁から上に向かって延伸された周壁１１２を備えている。前記座部１１１の中央には外界に通じる貫通孔１１３が形成され、且つ、外周面上に三周の上下に間隔をあけた環状槽１１４が形成される。
【０００５】
前記ヘッド部１２は前記シリンダ１１内に設置されたロックボディ１２１と、前記ロックボディ１２１に相対してロック位置とロック解除位置間で移動する棒体１２２を備えている。前記ロックボディ１２１の構造は関連技術領域において通常の知識を有する人物であれば簡単に分かることであるため、ここでは説明を省略する。前記棒体１２２の下端部は円錐台の形状を呈する。前記ロック解除位置にあるとき、前記棒体１２２の上端部は前記ロックボディ１２１の外に上方向に突出する。前記棒体１２２が下方向に押されると、その下端部が下に向かって前記ロックボディ１２１の外に突出し、これが前記のロック位置となる。
【０００６】
前記ロックユニット１３は前記座部１１１の貫通孔１１３に穿設され、且つ交差して揺動可能な２つの鉤部材１３１と、前記２つの鉤部材１３１を内側に向かって閉じ合わせるように常時付勢する２つのバネ１３２を備えている。各鉤部材１３１は前記シリンダ１１内に配置された押当部１３３と、前記押当部１３３と反対側に位置し、且つ前記貫通孔１１３から穿出されたフック部１３４を備えている。前記２つのバネ１３２はそれぞれ前記２つの鉤部材１３１の押当部１３３と前記周壁１１２の間に配置される。前記ヘッド部１２の棒体１２２は押圧されて移動し、前記２つの押当部１３３の間に穿出される。
【０００７】
前記リング１４は前記シリンダ１１の周壁１１２上に設置されたリング体１４１と、前記リング体１４１から間隔をあけて外側に向かって延伸された２つの張り出し部１４２（図にはそのうち１つのみを示す）を備えている。
【０００８】
前記規制リング１５は前記座部１１１の環状槽１１４のうちの前記リング１４に相隣する一つに設置され、主に、前記リング１４の位置を規制するために用いられる。前記環状座部１６の内面に２つの環状突起１６１が形成され、前記２つの環状突起１６１は前記座部１１１の別の２つの環状槽１１４に嵌合することができる。前記ケーブル１７の一端は前記リング１４の２つの張り出し部１４２に枢着される。
【０００９】
前記ロック装置１を使用するときは、まず前記ロックユニット１３の２つの鉤部材１３１のフック部１３４を前記ノートブック型コンピュータ２のロックスロット２０内に穿入させる。続いて前記ヘッド部１２の棒体１２２を前記ノートブック型コンピュータ２の方向へ押し、前記棒体１２２を利用して前記２つの鉤部材１３１の２つの押当部１３３を押し動かして、前記２つのフック部１３４を外側に向かって開かせ、前記ロックスロット２０に掛止させる。最後に、前記ケーブル１７の他端を固定柱（机の脚など）に接続して固定し、これにより前記ノートブック型コンピュータ２が移動されたり盗まれたりするのを防ぐことができる。
【００１０】
前記ロック装置１のロックを解除するときは、管状のキー１０を前記ヘッド部１２に穿入させて回転させ、前記棒体１２２を上方向へ移動させて前記２つの鉤部材１３１を押さないようにすると、前記２つのバネ１３２の弾力により、前記２つのフック部１３４が相互に向かって閉じ合わせられ、前記ロック装置１とノートブック型コンピュータ１０のロックが解除される。
【００１１】
上述の説明から分かるように、従来のロック装置１のヘッド部１２は押圧式の設計であり、即ち、前記ヘッド部１２の棒体１２２が上下に移動する方式で、前記２つの鉤部材１３１を押し動かすという目的を達している。しかしながら、ロックを解除した後にロックするとき、前記管状のキー１０をまず取り外さなければ前記棒体１２２を押すことができず、誤ってロックを解除してしまった状況などにおいて、前記管状のキー１０を入れたり出したりする必要があり、使用上やや面倒である。同時に、前記棒体１２２が前記ロックボディ１２１から突出しているため、空間を占用してしまうほか、外観の上でも美観に欠ける。  
【発明の開示】
【発明が解決しようとする課題】
【００１２】
このため、本発明の目的は、回動方式でロック装置のロックとロック解除を行うことができ、使用上より便利であるコンピュータ用ロック装置を提供することにある。
【課題を解決するための手段】
【００１３】
本発明のコンピュータ用ロック装置は、ボディユニット、ロックユニット、シリンダユニット及びセキュリティケーブルユニットを含む。前記ボディユニットはボディケースと、前記ボディケース外周面上に設置されたリングを備え、前記ボディケースは、貫通孔を設けた座部と、前記座部の外周縁から外側に向かって延伸された周壁を備えている。前記ロックユニットは、前記座部の貫通孔に設置され、且つ交差して揺動可能な２つの鉤部材と、前記２つの鉤部材を相互に向かって閉じ合わせるように常時付勢する２つの弾性部材を備え、各鉤部材は前記ボディケース内に位置し、且つ対応する弾性部材が当接される押当部と、前記押当部の反対側に位置し、且つ前記ボディケースから穿出されるフック部を備えている。前記シリンダユニットは前記ボディユニットのボディケース内に固定され、且つ、ロックボディと、前記ロックボディに相対し、ロック位置とロック解除位置の間で回動可能なロック棒を備え、前記ロック棒の端部は前記ロックボディから突出し、前記２つの鉤部材の押当部間に配置され、前記端部の断面は長軸と短軸が定義される。前記セキュリティケーブルユニットは端部が前記ボディユニットのリングに枢着されるケーブル連結部と、前記ケーブル連結部に接続されたケーブルを備えている。前記ロック解除位置にあるとき、前記シリンダユニットのロック棒の端部がその短軸の方向を向いて前記２つの鉤部材の押当部の間に位置し、前記２つの弾性部材の弾力により、前記２つの鉤部材のフック部が相互に向かって閉じ合わせられる。前記ロック棒が前記ロック位置に回動されると、前記ロック棒の端部がその長軸の方向を向き、同時に前記２つの鉤部材の押当部を外側に向かって押し動かし、前記２つのフック部を背離させて開かせる。
【００１４】
すなわち、本願の第１発明は、コンピュータ用ロック装置であって、ボディユニット、ロックユニット、シリンダユニット及びセキュリティケーブルユニットを含み、前記ボディユニットが、ボディケースと、前記ボディケース外周面上に設置されたリングを備え、前記ボディケースが貫通孔を設けた座部と、前記座部外周縁から外側に向かって延伸された周壁を備えており、前記ロックユニットが、前記座部の貫通孔内に交差して揺動可能に設置された２つの鉤部材と、前記２つの鉤部材を相互に向かって閉じ合わせるように常時付勢する２つの弾性部材を備え、各鉤部材が前記ボディケース内に位置し、且つ対応する前記弾性部材に当接される押当部と、前記押当部の反対側に位置し、且つ前記ボディケースから穿出されるフック部を備えており、前記シリンダユニットが、前記ボディユニットのボディケース内に固定され、且つロックボディと、前記ロックボディに相対してロック位置とロック解除位置間で回動することができるロック棒を備え、前記ロック棒の端部が前記ロックボディから突出されて前記２つの鉤部材の押当部間に配置され、且つ長軸と短軸が定義されており、前記セキュリティケーブルユニットが、前記ボディユニットのリングに端部が枢着されたケーブル連結部と、前記ケーブル連結部に接続されたケーブルを備えており、前記ロック解除位置にあるとき、前記シリンダユニットのロック棒の端部がその短軸の方向を向いて前記２つの鉤部材の押当部の間に位置し、前記２つの弾性部材の弾力により、前記２つの鉤部材のフック部が相互に向かって閉じ合わされ、前記ロック棒が前記ロック位置まで回動されると、前記ロック棒の端部がその長軸の方向に向けられ、同時に前記２つの鉤部材の押当部を外側に向かって押し動かし、前記２つのフック部を背離させて開かせることを特徴とする、コンピュータ用ロック装置を提供する。
【００１５】
本願の第２発明は、前記ボディユニットのボディケースの座部周面上に少なくとも１つの環状槽が形成され、前記ボディユニットが、前記環状槽内に設置されて前記リングの位置を規制する規制リングをさらに備えていることを特徴とする、前記第１発明のコンピュータ用ロック装置を提供する。
【００１６】
本願の第３発明は、前記ボディユニットが、前記ボディケースの座部の底部に嵌置され、前記リングが前記ボディケースから抜け落ちるのを防ぐための底部座体をさらに備え、前記底部座体上に前記座部上の貫通孔に対応し、前記２つの鉤部材を穿通させるための通孔が形成されたことを特徴とする、前記第２発明のコンピュータ用ロック装置を提供する。
【００１７】
本願の第４発明は、前記ボディユニットのボディケースの周壁上に前記２つの鉤部材の押当部にそれぞれ対応する２つの収容孔が形成され、前記ロックユニットがさらに、前記２つの収容孔にそれぞれ収容され、且つ、前記２つの弾性部材を穿置するために用いられる位置決めカップを備えていることを特徴とする、前記第３発明のコンピュータ用ロック装置を提供する。
【００１８】
本願の第５発明は、前記ボディユニットのリングが、前記周壁を覆って設置されたリング体と、前記リング体から外側に向かって間隔をあけて延伸された２つの張り出し部を備え、前記セキュリティケーブルユニットのケーブル連結部が前記２つの張り出し部の間に配置され、枢着されることを特徴とする、前記第４発明のコンピュータ用ロック装置を提供する。
【００１９】
本願の第６発明は、前記シリンダユニットのロック棒の端部断面が略矩形を呈することを特徴とする、前記第１または第５発明のコンピュータ用ロック装置を提供する。
【００２０】
本願の第７発明は、前記シリンダユニットのロック棒の端部断面が略楕円形を呈することを特徴とする、前記第１または第５発明のコンピュータ用ロック装置を提供する。
【発明の効果】
【００２１】
本発明の効果は、前記シリンダユニットのロック棒を回動させると、前記ロック装置のロックとロック解除作業が完了し、使用上より便利であり、且つ、前記シリンダユニットのロック棒は前記ロックボディから突出していないため、別途空間を占用することがなく、美観も向上する。
【発明を実施するための最良の形態】
【００２２】
本発明の前述及びその他技術内容、特徴、効果について、以下、参考図面を組み合わせた最良の実施例に基づく詳細な説明において明確に示す。
【００２３】
図４、図５に本発明のコンピュータ用ロック装置の最良の実施例を示す。本発明はロックスロット３１を備えたコンピュータ３をロックするために用いられる。前記コンピュータ３はノートブック型コンピュータとすることができるが、デスクトップ型コンピュータ本体やコンピュータモニタ、プリンタ、スキャナ、プロジェクタ等、関連のコンピュータ周辺設備としてもよい。前記コンピュータ用ロック装置は、ボディユニット４、ロックユニット５、シリンダユニット６及びセキュリティケーブルユニット７を含む。
【００２４】
前記ボディユニット４はボディケース４１、前記ボディケース４１外周面上に設置されたリング４２、規制リング４３及び底部座体４４を備えている。前記ボディケース４１は貫通孔４１０を設けた座部４１１と、前記座部４１１外周縁から外側に向かって延伸された周壁４１２を備えている。前記座部４１１の周面上に上下に間隔をあけて３つの環状槽４１３が形成される。前記周壁４１２上に２つの相対する収容孔４１４が形成される。前記リング４２は前記周壁４１２を覆って設置されたリング体４２１と、間隔をあけて前記リング体４２１から外側に向かって延伸された２つの張り出し部４２２（図にはそのうち１つのみ示す）を備えている。
【００２５】
前記規制リング４３は前記３つの環状槽４１３のうち前記リング４２に最も近い環状槽４１３上に設置され、前記リング４２に当接してその位置を制限することができ、実際には、前記規制リング４３にスリット（図示しない）を形成し、開いて前記環状槽４１３中に便利に設置できるようにすることができる。
前記底部座体４４の中央には前記ボディケース４１の貫通孔４１０に対応し相通された通孔４４０が形成され、且つ、前記底部座体４４の内面上に上下に間隔をあけて配置された２つの環状突起４４１がそれぞれ形成され、前記２つの環状突起４４１は前記座部４１１上の別の２つの環状槽４１３中に嵌入され、前記底部座体４４を前記ボディケース４１の底部に位置決めし、前記リング４２が前記ボディケース４１から抜け落ちるのを防ぐことができる。前記ボディユニット４の形状は概ね楕円状を呈し、且つ両端部が水平にカットされた形状を呈する。
【００２６】
前記ロックユニット５は、前記ボディケース４１の座部４１１上の貫通孔４１０に設置され、且つ交差して揺動可能な２つの的鉤部材５１と、前記２つの鉤部材５１を相互に向かって閉じ合わせるように常時付勢する２つの弾性部材５２、及び前記２つの周壁４１２の２つの収容孔４１４にそれぞれ収容され、且つ、前記２つの弾性部材５２を穿置するために用いられる２つの位置決めカップ５３を備えている。各鉤部材５１は前記ボディケース４１内に位置し、且つ前記２つの収容孔４１４に対応する押当部５１１と、前記押当部５１１の反対側に位置し、且つ前記ボディケース４１から穿出されるフック部５１２を備えている。前記２つの弾性部材５２は対応する押当部５１１と位置決めカップ５３に当接される。
【００２７】
前記２つの位置決めカップ５３を利用することで、前記２つの弾性部材５２が圧縮時によじれ現象を発生しないようにし、位置を規制する効果が得られ、その回復弾力を確保することができる。当然、前記２つの収容孔４１４の孔径を前記２つの弾性部材５２の外径よりやや大きくして、前記２つの位置決めカップ５３を設置する必要をなくすこともできる。前記最良の実施例において、前記２つの弾性部材５２は圧縮バネとしているが、板ばねとすることもできる。前記２つの弾性部材５２が板ばねであるとき、例えばＶ字形の板ばねとした場合も、前記２つの位置決めカップ５３を設置しないことができる。
【００２８】
図６に示すように、前記シリンダユニット６は位置決めピン８１により前記ボディユニット４のボディケース４１内に固定され、前記シリンダユニット６はロックボディ６１と、前記ロックボディ６１に相対してロック位置とロック解除位置の間で回動するロック棒６２を備えている。前記ロックボディ６１の構造は関連技術領域において通常の知識を有する人物であれば簡単に分かることであるため、ここでは説明を省略する。前記ロック棒６２の端部６２１は前記ロックボディ６１から突出し、前記２つの鉤部材５１の押当部５１１の間に配置され、前記ロック棒６２の端部６２１の断面は長軸ａと短軸ｂを定義することができる。前記最良の実施例において、この断面は概ね矩形を呈するが、楕円形を呈することもできる。
【００２９】
前記セキュリティケーブルユニット７は端部が前記ボディユニット４のリング４２に枢着されたケーブル連結部７１と、前記ケーブル連結部７１に接続されたケーブル７２を備えている。前記最良の実施例において、前記ケーブル連結部７１は前記リング４２の２つの張り出し部４２２の間に位置し、軸ピン８２により前記張り出し部４２２に枢着される。前記最良の実施例において、前記ケーブル７２はケーブルとしているが、チェーン等とすることもできる。
【００３０】
前記ロック解除位置にあるとき、前記ロック棒６２の端部６２１はその短軸ｂの方向を向き、前記２つの鉤部材５１の押当部５１１に当たらず、前記２つの押当部５１１間に位置する状態となる。前記２つの鉤部材５１のフック部５１２は、前記２つの弾性部材５２の弾力により相互に向かって閉じ合わせられる。前記ロック棒６２が前記ロック位置に回動されると、前記ロック棒６２の端部６２１が長軸ａの方向を向き、その両側縁部が前記２つの鉤部材５１の押当部５１１に当たって押当部５１１を押し動かし、前記２つのフック部５１２を背離させて開かせる。
【００３１】
前記ロック装置を使用するときは、まずキー９で前記ロック棒６２を前記ロック解除位置に回動させ、前記２つの鉤部材５１を閉じさせる。続いて、前記２つの鉤部材５１のフック部５１２を前記コンピュータ３のロックスロット３１内に穿入させる。その後、さらに前記キー９を回動させ、例えば９０度回動させて、前記ロック棒６２を前記ロック位置まで回動させ、前記２つのフック部５１２を開かせて前記ロックスロット３１内に掛止させると、前記ロック装置と前記コンピュータ３が連結される。最後に、前記ケーブル７２の他端を固定物に接続し、前記コンピュータ３が盗まれたり、移動されたりするのを防ぐ。ロックを解除する必要があるときは、前記キー９を逆方向に回動させ、前記ロック一から前記ロック解除位置まで回動させると、ロック解除作業が完了する。
上述の説明から分かるように、前記ロック装置を操作するときは、前記キー９を正方向または逆方向に回動させることでロックとロック解除作業が完了するため、誤ってロックを解除した状況においても、前記キー９を先に抜き取る必要なく、すぐにロック作業を行うことができ、使用上より便利である。且つ、前記ロック棒６２が前記ロックボディ６１から突出していないため、別途空間を占用することがなく、また美観も増進される。同時に本発明は別の形態のロック装置を提供することで人々に異なる選択を与えることができる。
【００３２】
上述をまとめると、本発明のコンピュータ用ロック装置は、前記シリンダユニット６のロック棒６２を回動させることで、前記２つの鉤部材５１を開いたり閉じたりさせて、前記ロック装置のロックとロック解除作業を完了することができ、操作において前記キー９を抜き取る必要がなく、使用上より便利であり、且つ、前記ロック棒６２が前記ロックボディ６１から突出していないため、別途空間を占用することがなく、また美観も増進され、確実に本発明の目的を達することができる。
【００３３】
以上の説明は本発明の最良の実施例に基づくものであり、これにより本発明の実施の範囲が制限されることはなく、本発明の特許請求の範囲及び明細書の内容に基づき行なわれた簡単な同等効果の変化や修飾はすべて本発明の特許の範囲内に含まれるものとする。
【図面の簡単な説明】
【００３４】
【図１】ロックスロットを備えたノートブック型コンピュータ上に連結し、ロックするために用いられる従来のコンピュータ用ロック装置の立体図である。
【図２】従来のコンピュータ用ロック装置がロック解除位置にあるときの断面図である。
【図３】従来のコンピュータ用ロック装置がロック位置にあるときの断面図である。
【図４】本発明のコンピュータ用ロック装置の最良の実施例がロック解除位置にあるときの側面断面図である。
【図５】前記最良の実施例がキーを回動させることによりロック解除位置からロック位置に移動された状態を示す側面断面図である。
【図６】シリンダユニットのロック棒端部の断面様態を示す断面図である。
【符号の説明】
【００３５】
３        コンピュータ
３１      ロックスロット
４        ボディユニット
４１      ボディケース
４１０    貫通孔
４１１    座部
４１２    周壁
４１３    環状槽
４１４    収容孔
４２      リング
４２１    リング体
４２２    張り出し部
４３      規制リング
４４      底部座体
４４０    通孔
４４１    環状突起
５        ロックユニット
５１      鉤部材
５１１    押当部
５１２    フック部
５２      弾性部材
５３      位置決めカップ
６        シリンダユニット
６１      ロックボディ
６２      ロック棒
６２１    端部
７        セキュリティケーブルユニット
７１      ケーブル連結部
７２      ケーブル
８１      位置決めピン
８２      軸ピン
９        キー
a        長軸
b        短軸
【図１】
2008045394.tif 000003
【図２】
2008045394.tif 000004
【図３】
2008045394.tif 000005
【図４】
2008045394.tif 000006
【図５】
2008045394.tif 000007
【図６】
2008045394.tif 000008